(57)【要約】構造体支持面は人工的に建造され、衝撃後データに従い、既に発生し、ジョイントのひび割れや完全な破壊にさえ至るいかなる基礎の欠陥も回避する。次に耐震性絶縁材がセルクッションを使用して作られる一方、接続機構と一次耐衝撃機構への腐蝕は、絶縁体を使用して防止される。砂は建造に必要な時間の間、及びプロジェクトの完成に続いて、均等荷重分材のための安定した作業面を保証する。更に、地震の時に、砂の機械的特性は、弾性を提供し、クッションの耐衝撃特性を向上させ、同時に建物枠上の不均一な荷重分布を防止する。全プロジェクトの両側の主要点上に固定される接続構造は、耐衝撃機構の確かな動作を提供する。【選択図】図４【特許請求の範囲】
【請求項１】
掘削と基礎融合体の適用に続いて、耐震機構支持面が、必要とされる建造物の形状と寸法に応じた“ランタイ”（反転床）スラブ、又は反転ビーム型スラブ、又はキューブと接続ビームからできたスラブの、数種のモードの強化コンクリートにより建造される方法。
【請求項２】
強化構成の間、及びプロジェクトのニーズに応じて、接続機構が、静的設計の指示に表示されるように技術的に処理され（図１）、結束されたワイヤロープから構成されて、作られる構造体の支持面上に配置される（図Ｓ１）方法。
【請求項３】
リング型またはキューブ型のゴム絶縁体が、前記支持面の形成に続いて、その寸法と硬度がプロジェクトに応じて変化する（図２）、前記結束されたワイヤロープ（図Ｅ１）の代わりに設置される方法。
【請求項４】
前記プロジェクトの残り面は、リサイクルされ、技術的に処理された古タイヤからできたセル式クッションで、その半分又はリングまたはキューブ高さ全体まで充填されることを必要とする方法（図Ｅ２、図Ｅ３、図３）。
【請求項５】
前記クッションの適用に続いて、最終リング又はキューブの高さまでの残りの半分の空間は、従来の構築方法が適用される、建物の建造のための作業面を生成するように、砂で充填される方法（図４）。
【発明の詳細な説明】
【技術分野】
【０００１】
基礎構築中に、主に、しかし限定されずに利用される、建物及び他の構造体用の地震遮蔽法。
【背景技術】
【０００２】
掘削に続いて、及び少数の基礎融合体の設置後、耐震支持面は、数種のモード（「“ランタイ”（反転）スラブ」又は「反転ビームスラブ」又は「キューブと接続ビームスラブ」）の強化コンクリートにより建造される。それは建造される建物の静的設計及び寸法と形状に応じた、及び土壌に応じた、厚さと強化を有する単一の又は分割可能なスラブである。
【０００３】
強化構成の間、及びプロジェクトのニーズに応じて、静的設計の指示に従い、技術的に処理された結束されたワイヤロープから構成される接続機構（図Ｓ１）は、支持面と建設される構造体の間に設置される（図１）。
【０００４】
ワイヤ特性（断面、寸法、ワイヤ密度）は変化する。ワイヤロープストランドは、適切な鉄からできたフォークにより、その完成に続いて、水平と垂直の強化鉄部材上に容易に固定することができる。
【０００５】
コンクリート注入と設定に続いて、リング状又はキューブ状のゴム絶縁体が設置され（図Ｅ１）、その構成、寸法及び硬度はプロジェクトに応じて変化する（図２）。
【０００６】
プロジェクト面の残りは（図Ｅ２、図Ｅ３）、一方では一時的使用に続いて今迄無用であった、及び他方では建造弾性の強化のため、リサイクルされ、技術的に処理された、原材料を利用する、自動車古タイヤからできたセルクッションで、セルの半分又はリング又はキューブ高さ迄充填されなければならない（図３）。
【０００７】
クッション層に続いて、セルの残りの半分又はセルの最終のリング又はキューブ高さ迄の充填は、従来方法の利用が常に可能な建物又は他の構造物の建造のための作業面を生成するため、砂で充填しなければならない（図４）。
【０００８】
新しい建造の強化手順の間に、ワイヤストランドは、下側スラブへ固定するために利用されるのと同一方法により固定される。
【図面の簡単な説明】
【０００９】
【図１】底板と建造接続機構と共に、耐震絶縁支持面の建造
【図２】接続機構と一次耐衝撃機構を腐蝕から保護するため、絶縁体を設置するための支持面の完成
【図３】セル式クッションを使用した表面の充填
【図４】任意建造タイプ用作業面を生成するため、砂でのセルの充填
【図Ｓ１】結束ワイヤロープの接続機構
【図Ｅ１】絶縁体ゴムキューブ又はリングの形状
【図Ｅ２】（建造されるプロジェクトビーム下の）柱間の支持絶縁面周辺を覆うリサイクルタイヤセルクッションの形状
【図Ｅ３】支持面の残りの空間を充填するためのリサイクルタイヤセルクッションの形状
【００１０】
方法適用の効果は科学に近い。
・構造体が地震中維持している強力な動揺は振動に変換される。
・共鳴現象はこのようにして最小化される。
・主としてコンクリートの剛性によるジョイントのひび割れ又は破壊でさえ、最小に減少される。
・主として衝撃により生成されるきしみと耳をつんざくノイズは、著しく減衰される。
・自動車古タイヤの使用は、生態系への汚染を誘発することなく、構造体に役立つ。
・建造枠厚さは、高さが増加するのに応じて減少し、従ってより軽くなる。
・人工土壌は既存土壌より確かに良い。
【００１１】
弾性基礎構築法は非常に多くの建物構造体に役立つ。戸建て住宅、２階建てと３階建ての建物、より高い建物でも、それは役立つが、学校、学校複合施設、小規模ホテル設備にも確実に役立つだろう。
【００１２】
最後に、適用範囲はプロジェクトに応じて発生するいかなる経済的負担をも補償する、それから生ずる利益と共に、その方法の採用に明らかに依存する。
【００１３】
地下室と８５ｍ２の底板面上の９本の支柱を有する２階建て建物に対して、絶縁材支持面厚さと絶縁材厚さは、この方法が、以下が得られる場合、掘削に続いて実施されるように計算される。
【００１４】
全体支持面と計算された深さの掘削。
少量の基礎融合体が設置され、それに続いて一つのスラブの強化建造が開始される（静的設計により提供される厚さと強化のランタイ（反転）型スラブ）。同時に、接続機構は設置される支持（９）の点に設置され（図Ｓ１）、これに続いて、耐衝撃絶縁面はコンクリートの使用により完成される（図１）。
絶縁体（図Ｅ１）は、前記機構の腐蝕を防止し、コンパクトで比較的均質な剛性絶縁体構成のため、支持に均質な耐衝撃作用を提供するため、絶縁支持面から突出する接続機構上に設置される（図２）。
絶縁支持面の周辺上で、かつ一つの絶縁体からもう一つの絶縁材へ（一つのストラットから直接別のストラットへ）、セルクッションは、作られる構造体のストラット支持ビームが設置される点に設置され（図Ｅ２）、均等な荷重と沈下減少に対する必要性が最も大きい。
【００１５】
残りの支持面上に、及びクッション間に（図Ｅ２）、セルクッションは、将来の建造の自由空間（スラブ）が設置される点に設置され（図Ｅ３）、その荷重は最小化され、振動許容範囲は増加する（図３）。
【００１６】
支持面絶縁層は、絶縁体とクッションで完成する。
全セルの間隔と接続機構絶縁体間の間隔のそれらは、地下室を含む２階建て建物建造の開始に対して、安定した作業面を生成するため、砂を使用して充填される。これは絶縁なしに利用され、絶縁支持面の建造のためにそれらが固定されるのと同じ方法で、結合機構を固定する建造方法に従って実施される（図４）。
【図１】
2011525949.tif 000002
【図２】
2011525949.tif 000003
【図３】
2011525949.tif 000004
【図４】
2011525949.tif 000005
【図Ｓ１】
2011525949.tif 000006
【図Ｅ１】
2011525949.tif 000007
【図Ｅ２】
2011525949.tif 000008
【図Ｅ３】
2011525949.tif 000009